(57)【要約】【課題】携帯端末装置にアダプタ装置を付け容易に宅内の電気機器を制御する。【解決手段】携帯端末装置７は、アダプタ装置８から送信される接続手順に基づき制御装置６に接続し、電気機器１０の制御内容を表示手段と選択手段を用いて選択し、制御装置６はこの選択された制御内容に対応する制御電文を電気機器１０に送信することにより、アダプタ装置８を用いて携帯端末装置７から電気機器１０を制御する。【選択図】　図１
2004032235.tif 000002
【特許請求の範囲】
【請求項１】
電気機器を制御する制御装置とネットワーク網で接続して前記電気機器を遠隔制御する携帯端末装置と、前記携帯端末装置と前記制御装置との接続手順のプログラムを記憶してこの手順によって前記携帯端末装置に接続し前記電気機器の制御内容を表示し選択させて遠隔制御させるアダプタ装置とからなり、前記携帯端末装置に着脱可能な構成とした前記アダプタ装置により前記電気機器を制御する遠隔制御システム。
【請求項２】
携帯端末装置と制御装置との接続手順のプログラムを記憶してこの手順によって前記携帯端末装置に接続し電気機器の制御内容を表示し選択させて遠隔制御する請求項１記載のアダプタ装置。
【請求項３】
電気機器を制御する制御装置とネットワーク網で接続して前記電気機器を遠隔制御する携帯端末装置と、前記携帯端末装置と前記制御装置との接続手順のプログラムを記憶してこの手順によって前記携帯端末装置に接続し前記電気機器の制御内容を表示し選択させて遠隔制御させるアダプタ装置とからなり、前記携帯端末装置に着脱可能な構成とした前記アダプタ装置により前記電気機器を制御する遠隔制御方法。
【請求項４】
認証のために必要な認証番号を記憶した認証手段Ａを有し、通信時に携帯端末装置から送信される認証番号と、前記認証手段Ａに記憶された前記認証番号とを照合し認証を行う請求項１記載の制御装置。
【請求項５】
通信データを暗号化および復号化するために必要な暗号番号を記憶した暗号手段Ａを有し、前記暗号手段Ａに記憶された前記暗号番号を用いて通信データの暗号化および復号化を行う請求項１または４のいずれか１項記載の制御装置。
【請求項６】
ネットワーク網を介さずアダプタ装置と通信可能な構成とし、ネットワーク網を用いて通信を行う時に使用するポート番号を記憶したポート番号記憶手段Ａを有し、前記ポート番号記憶手段Ａに記憶されるポート番号は前記アダプタ装置と通信することで自動的に決定される請求項１または４または５のいずれか１項記載の制御装置。
【請求項７】
エコーネット規格に準拠したセキュリティに関する通信仕様であるセキュア通信手段Ａを有し、前記セキュア通信手段Ａを用いてアダプタ装置と通信を行うとした請求項１または６記載の制御装置。
【請求項８】
携帯端末装置の動作を制御する操作手段Ｃを有する請求項２記載のアダプタ装置。
【請求項９】
操作手段Ｃは携帯端末装置への接続するタイミングを制御する請求項８記載のアダプタ装置。
【請求項１０】
操作手段Ｃは電気機器の制御内容を選択できるとし、前記操作手段Ｃを用いて前記電気機器の制御内容を選択することにより、携帯端末装置における選択手順Ｂを用いることなく、前記電気機器を制御できるとした請求項８または９のいずれか１項記載のアダプタ装置。
【請求項１１】
認証のために必要な認証番号を記憶した認証手段Ｃを有し、通信時に携帯端末装置から送信される認証番号と、前記認証手段Ａに記憶された前記認証番号とを照合し認証を行う請求項２または請求項８から１０のいずれか１項記載のアダプタ装置。
【請求項１２】
ネットワーク網を介さず制御装置と通信可能な構成とし、認証番号は前記制御装置と通信することで自動的に決定される請求項１１記載のアダプタ装置。
【請求項１３】
認証手段Ｃは認証番号を複数記憶し、通信毎に前記認証手段Ｃに記憶された前記認証番号を切り替えるとした請求項１１または１２のいずれか１項記載のアダプタ装置。
【請求項１４】
通信データの暗号化および復号化するために必要な暗号番号を記憶した暗号手段Ｃを有し、前記暗号手段Ｃに記憶された前記暗号番号を用いて通信データの暗号化および復号化を行う請求項２または請求項８から１３のいずれか１項記載のアダプタ装置。
【請求項１５】
ネットワーク網を介さず制御装置と通信可能な構成とし、暗号番号は前記制御装置と通信することで自動的に決定される請求項２または請求項８から１４のいずれか１項記載のアダプタ装置。
【請求項１６】
暗号手段Ｃは暗号番号を複数記憶し、通信毎に前記暗号手段Ｃに記憶された前記暗号番号を切り替える請求項２または請求項８から１５のいずれか１項記載のアダプタ装置。
【請求項１７】
ネットワーク網を介さず制御装置と通信可能な構成とし、ネットワーク網を用いて通信を行う時に使用するポート番号を記憶したポート番号記憶手段Ｃを有し、前記ポート番号記憶手段Ｃに記憶された前記ポート番号は、前記制御装置と通信することで自動的に決定される請求項２または請求項８から１６のいずれか１項記載のアダプタ装置。
【請求項１８】
ポート番号記憶手段Ｃは使用するポート番号を複数記憶し、通信毎に前記ポート番号記憶手段Ｃに記憶された前記ポート番号を切り替える請求項２または請求項８から１７のいずれか１項記載のアダプタ装置。
【請求項１９】
エコーネット規格に準拠したセキュリティに関する通信仕様であるセキュア通信手段Ｃを有し、前記セキュア通信手段Ｃを用いて制御装置と通信を行う請求項２または請求項８から１０のいずれか１項記載のアダプタ装置。
【請求項２０】
メールを受信するメール受信手段Ｃを有し、制御装置はメールを送信するメール送信手段Ａを有し、前記メール受信手段Ｃを用いて前記制御装置からＩＰ通信手段Ａおよび前記メール送信手段Ａを介して送信された前記制御装置のＩＰアドレスを含むメールを受信することにより、前記制御装置のＩＰアドレスを取得する請求項２または請求項８から１９のいずれか１項記載のアダプタ装置。
【請求項２１】
制御装置はメールを受信するメール受信手段Ａを有し、制御手段Ｃの制御により携帯端末装置が有するＩＰアドレスを取得するＩＰアドレス取得手段Ｃと、メールを送信するメール送信手段Ｃを有し、前記メール送信手段Ｃを用いて前記制御手段Ｃの制御により、前記ＩＰアドレス取得手段Ｃで取得した前記携帯端末装置のＩＰアドレスを含んだメールを前記制御装置に送信する請求項２または請求項８から２０のいずれか１項記載のアダプタ装置。
【請求項２２】
通信手段Ｃは携帯端末装置における通信手段Ｂと無線を用いて情報を交信する請求項２または請求項８から２１のいずれか１項記載のアダプタ装置。
【請求項２３】
無線で通信を行う無線通信手段Ｃを有し、携帯端末装置およびネットワーク網を介さず、前記無線通信手段Ｃを用いて制御装置と無線で情報を交信し、電気機器を制御する請求項２または請求項８から２２のいずれか１項記載のアダプタ装置。
【請求項２４】
制御装置における制御内容記憶手段Ａに代わり、電気機器を制御する内容を記憶した制御内容記憶手段Ｃを有し、携帯端末装置に制御内容記憶手段Ｃに記憶された前記機電気機器の制御内容を表示させ選択させ、前記制御装置が前記電気機器を制御する請求項２または請求項８から２３のいずれか１項記載のアダプタ装置。
【請求項２５】
請求項４〜７のいずれか１項記載の制御装置の手段の全てもしくは一部としてコンピュータを機能させるためのプログラム。
【請求項２６】
請求項２または請求項８〜２４のいずれか１項記載のアダプタ装置の手段の全てもしくは一部としてコンピュータを機能させるためのプログラム。
【発明の詳細な説明】
【０００１】
【発明の属する技術分野】
本発明は、室内に設置された電気機器に外部から手軽にアクセスし制御できるようにした遠隔制御システムまたはアダプタ装置に関するものである。
【０００２】
【従来の技術】
従来、この種の遠隔制御システムとしては、例えば、特開平１１−２３４９２６号公報に記載されているようなものがあった。図１０は、前記公報に記載された従来の遠隔制御システムを示すものである。
【０００３】
図１０において、１はＰＨＳ無線電話機、２は通信ネットワーク、３はＰＨＳ無線電話機、４はコンピュータ部、５は室内機器である。使用者が室内機器５を制御する場合、ＰＨＳ無線電話機１のプッシュボタンを操作して、通信ネットワーク２を介して自宅のＰＨＳ無線電話機３に電話をかけると、ＰＨＳ無線電話機１とＰＨＳ無線電話機３が双方向通信状態となる。コンピュータ部４はこの電話を受け付け、通信データ入力待ち状態となる。ここで例えばＰＨＳ無線電話機１から室内機器５の電源を「オン」にするための制御データ「ＩＤ０１ｓオン」を送信すると、コンピュータ部４がこの通信データの内容を解析し、室内機器５の電源を「オン」に制御する。
【０００４】
【発明が解決しようとする課題】
しかしながら、前記従来の構成では、使用者が電気機器を制御する場合、ＰＨＳ無線電話機のプッシュボタンを操作して制御データを送信しなければならないので、使用者は電気機器の制御内容に対応する制御手順やコマンド、制御データを覚えておく必要がある、また電話機のプッシュボタンを利用して手で入力するため入力間違い等が発生しやすく非常に使い難いという課題を有していた。
【０００５】
本発明は、前記従来の課題を解決するもので、電気機器に外部から手軽にアクセスできかつセキュリティを確保しつつその電気機器を制御できるようにした遠隔制御システムまたはアダプタ装置を提供することを目的としている。
【０００６】
【課題を解決するための手段】
前記従来の課題を解決するために、本発明の遠隔制御システムまたはアダプタ装置は、電気機器を制御する制御装置とネットワーク網で接続して前記電気機器を遠隔制御する携帯端末装置と、前記携帯端末装置と前記制御装置との接続手順のプログラムを記憶してこの手順によって前記携帯端末装置に接続し前記電気機器の制御内容を表示し選択させて遠隔制御させるアダプタ装置とからなる。
【０００７】
これによって前記アダプタ装置は前記携帯端末装置に着脱可能な構成とした前記アダプタ装置により前記電気機器を制御する。
【０００８】
【発明の実施の形態】
請求項１に記載の発明は、電気機器を制御する制御装置とネットワーク網で接続して前記電気機器を遠隔制御する携帯端末装置と、前記携帯端末装置と前記制御装置との接続手順のプログラムを記憶してこの手順によって前記携帯端末装置に接続し前記電気機器の制御内容を表示し選択させて遠隔制御させるアダプタ装置とからなり、前記携帯端末装置に着脱可能な構成とした前記アダプタ装置により前記電気機器を制御する。使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない、また手で入力する必要がないため入力間違い等が発生せず、容易に電気機器を制御できる。
【０００９】
請求項２に記載の発明は、携帯端末装置と制御装置との接続手順のプログラムを記憶してこの手順によって前記携帯端末装置に接続し電気機器の制御内容を表示させ選択させて遠隔制御することとなり、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない、また手で入力する必要がないため入力間違い等が発生せず、容易に電気機器を制御できる。
【００１０】
請求項３に記載の発明は、電気機器を制御する制御装置とネットワーク網で接続して前記電気機器を遠隔制御する携帯端末装置と、前記携帯端末装置と前記制御装置との接続手順のプログラムを記憶してこの手順によって前記携帯端末装置に接続し前記電気機器の制御内容を表示させ選択させて遠隔制御させるアダプタ装置とからなり、前記携帯端末装置に着脱可能な構成とした前記アダプタ装置により前記電気機器を制御することとなり、使用者が電気機器を制御する場合、無線電話機等のプッシュボタンを操作して制御データを送信する必要がなく、また携帯端末装置の画面等の表示手段から制御したい電気機器の制御内容を選択できるため、電気機器の制御内容に対応する制御データを覚えておく必要がない、また手で入力する必要がないため入力間違い等が発生せず、容易に電気機器を制御できる。
【００１１】
請求項４に記載の発明は、認証のために必要な認証番号を記憶した認証手段Ａを有することにより、通信時に携帯端末装置から送信される認証番号と、前記認証手段Ａに記憶された前記認証番号を照合することができるので、インターネット等のネットワーク網を用いる場合でもセキュリティを確保し電気機器を制御することができる。
【００１２】
請求項５に記載の発明は、通信データを暗号化および復号化するために必要な暗号番号を記憶した暗号手段Ａを有することにより、前記暗号番号を用いて通信データの暗号化および復号化を行うことができるので、ネットワーク網であるインターネット等のネットワーク網を用いる場合でもセキュリティを確保し電気機器を制御することができる。
【００１３】
請求項６に記載の発明は、ＩＰアドレスを用いて通信を行う時に使用するポート番号を記憶したポート番号記憶手段Ａを有することにより、ネットワーク網を介さずアダプタ装置と通信可能な構成とすることにより、前記ポート番号は前記アダプタ装置と通信することで自動的に決定されるので、ポート番号を使用者が自らを入力する必要がなく、ポート番号を忘れたりポート番号を間違えることにより電気機器を制御できなくなるこがなく、使い勝手の向上を図ることができ、かつポート番号を頻繁に容易に変更することができるので、より一層セキュリティを確保し電気機器を制御することができる。
【００１４】
請求項７に記載の発明は、エコーネット規格に準拠したセキュア通信手段Ａを有することにより、前記セキュア通信手段Ａを用いてアダプタ装置と通信を行うので、セキュリティをより向上させ電気機器を制御することができ、かつ通信仕様が世の中に公開されているので異なるメーカー間でも通信が可能となりシステムの拡張性が高まる、また新たに仕様を作成する必要がないため開発コストの低減、開発期間の短縮を図ることができる。
【００１５】
請求項８に記載の発明は、携帯端末装置の動作を制御する操作手段Ｃを有することにより、携帯端末装置が備えている操作部を操作する必要がないため、使用者は携帯端末装置のメーカーや機種を変えても操作に迷うことがなく容易に操作でき、使い勝手の向上を図ることができる。
【００１６】
請求項９に記載の発明は、操作手段Ｃは携帯端末装置への接続するタイミングを制御することにより、スイッチ手段Ｃを操作することにょり制御装置に接続されるので、使用者の使い方に合わせて任意の時間に制御装置に接続することができ、使い勝手の向上を図ることができる。
【００１７】
請求項１０に記載の発明は、操作手段Ｃは電気機器の制御内容を選択できるとし、前記操作手段Ｃを用いて前記電気機器の制御内容を選択することにより、携帯端末装置における選択手順Ｂを用いることなく、前記電気機器を制御できるので、電気機器を制御するため携帯端末装置が備えているキー操作等の操作が必要なくなり、簡単に電気機器を制御することができる。
【００１８】
請求項１１に記載の発明は、認証のために必要な認証番号を記憶した認証手段Ｃを有することにより、通信時に携帯端末装置から送信される認証番号と、前記認証手段Ａに記憶された前記認証番号を照合することができるので、インターネット等のネットワーク網を用いる場合でもセキュリティを確保し電気機器を制御することができる。
【００１９】
請求項１２に記載の発明は、ネットワーク網を介さず制御装置と通信可能な構成とし、認証番号を使用者が自らを入力や設定する必要がなく、認証番号は前記制御装置と通信することで自動的に決定されるので、認証番号を忘れたり認証番号を間違えることにより電気機器を制御できなくなるこがなくなり使い勝手の向上を図ることができ、かつ認証番号を頻繁に容易に変更することができ、桁数が多く複雑な認証番号を扱うことも容易となるので、より一層セキュリティを確保し電気機器を制御することができる。
【００２０】
請求項１３に記載の発明は、認証手段Ｃは認証番号を複数記憶することにより、通信毎に前記認証手段Ｃに記憶された前記認証番号を切り替えることができるので、セキュリティをより向上させ電気機器を制御することができる。
【００２１】
請求項１４に記載の発明は、通信データの暗号化および復号化するために必要な暗号番号を記憶した暗号手段Ｃを有することにより、前記暗号番号を用いて通信データの暗号化および復号化を行うことができるので、インターネット等のネットワーク網を用いる場合でもセキュリティを確保し電気機器を制御することができる。
【００２２】
請求項１５に記載の発明は、ネットワーク網を介さずアダプタ装置と通信可能な構成とすることにより、暗号番号は前記制御装置と通信することで自動的に決定されるきるので、暗号番号を忘れたり暗号番号を間違えることにより電気機器を制御できなくなるこがなくなり使い勝手の向上を図ることができ、かつ暗号番号を容易に頻繁に変更することができ、桁数が多く複雑な暗号番号を扱うことも容易となるので、より一層セキュリティを確保し電気機器を制御することができる。
【００２３】
請求項１６に記載の発明は、暗号手段Ｃは暗号番号を複数記憶することにより、通信毎に前記暗号番号を切り替えることができるので、セキュリティをより向上させ電気機器を制御することができる。
【００２４】
請求項１７に記載の発明は、ネットワーク網を用いて通信を行う時に使用するポート番号を記憶したポート番号記憶手段Ｃを有することにより、ネットワーク網を介さず制御装置と通信可能な構成とすることにより、前記ポート番号は前記アダプタ装置と通信することで自動的に決定されるができるので、ポート番号を使用者が自らを入力する必要がなく、ポート番号を忘れたりポート番号を間違えることにより電気機器を制御できなくなるこがなくなり使い勝手の向上を図ることができ、かつポート番号を頻繁に容易に変更することができるので、より一層セキュリティを確保し電気機器を制御することができる。
【００２５】
請求項１８に記載の発明は、ポート番号記憶手段Ｃは使用するポート番号を複数記憶することにより、通信毎に前記ポート番号を切り替えることができるので、セキュリティをより向上させ電気機器を制御することができる。
【００２６】
請求項１９に記載の発明は、エコーネット規格に準拠したセキュア通信手段Ｃを有することにより、前記セキュア通信手段Ｃを用いてアダプタ装置と通信を行うので、セキュリティをより向上させ電気機器を制御することができ、かつ通信仕様が世の中に公開されているので異なるメーカー間でも通信が可能となりシステムの拡張性が高まり、新たに仕様を作成する必要がないため開発コストの低減、開発期間の短縮を図ることができる。
【００２７】
請求項２０に記載の発明は、メールを受信するメール受信手段Ｃを有し、制御装置はメールを送信するメール送信手段Ａを有することにより、前記制御装置からＩＰ通信手段Ａと前記メール送信手段Ａを用いて送信された前記制御装置のＩＰアドレスを含むメールを受信することにより、前記制御装置のＩＰアドレスを取得するので、制御装置におけるＩＰアドレスが変更された場合でもアダプタ装置から制御装置を介して電気機器を制御することができる。
【００２８】
請求項２１に記載の発明は、制御装置はメールを受信するメール受信手段Ａを有し、制御手段Ｃの制御により携帯端末装置が有するＩＰアドレスを取得するＩＰアドレス取得手段Ｃと、メールを送信するメール送信手段Ｃを有することにより、前記メール送信手段Ｃを用いて前記ＩＰアドレス取得手段Ｃで取得した前記携帯端末装置のＩＰアドレスを含んだメールを前記制御装置に送信するので、携帯端末装置におけるＩＰアドレスが変更された場合でも電気機器の状態を制御装置から携帯端末装置に報知することができる。
【００２９】
請求項２２に記載の発明は、通信手段Ｃは携帯端末装置における通信手段Ｂと無線を用いて情報を交信することにより、アダプタ装置の配置場所について使用上の制約を受け難いので、使い勝手の向上を図ることができる。
【００３０】
請求項２３に記載の発明は、無線で通信を行う無線通信手段Ｃを有することにより、携帯端末装置およびネットワーク網を介さず、前記無線通信手段Ｃを用いて制御装置と無線で情報を交信することができるので、宅内等のアダプタ装置と制御装置が無線で通信可能なエリアに存在する場合は、ネットワーク網を介さないため電気機器を制御するまでの時間を短縮でき、かつネットワーク網接続時に料金が生じる場合、これらの料金を節約することができる。
【００３１】
請求項２４に記載の発明は、制御装置における制御内容記憶手段Ａに代わり、アダプタ装置が電気機器を制御する内容を記憶した制御内容記憶手段Ｃを有することにより、携帯端末装置は電気機器を制御する内容を取得する際にはネットワーク網を介して制御装置にアクセスする必要がなくなるので、電気機器を制御する内容の表示時間の短縮を図ることができ、電気機器を制御するまでの時間を短縮できる。
【００３２】
本発明の請求項２５にかかるプログラムは、請求項４〜７のいずれか１項記載の制御装置の手段の全てもしくは一部としてコンピュータを機能させるためのプログラムなので、汎用のプログラムやサーバーやマイクロコントローラ（ＣＰＵ）を用いて本発明の制御装置の一部あるいは全てを容易に実現することができる。また記録媒体に記録したり通信回線を用いてプログラムを配信したりすることでプログラムの配布が簡単にできる。
【００３３】
本発明の請求項２６にかかるプログラムは、請求項２または請求項８〜２４のいずれか１項記載のアダプタ装置の手段の全てもしくは一部としてコンピュータを機能させるためのプログラムなので、汎用のプログラムやサーバーやマイクロコントローラ（ＣＰＵ）を用いて本発明の制御装置の一部あるいは全てを容易に実現することができる。また記録媒体に記録したり通信回線を用いてプログラムを配信したりすることでプログラムの配布が簡単にできる。
【００３４】
【実施例】
以下本発明の実施例について、図面を参照にしながら説明する。
【００３５】
（実施例１）
図１は、本発明の第１の実施例における遠隔制御システム図を示すもである。
【００３６】
図１において、１０は室内に設置された電気機器、６は制御装置、７は携帯端末装置、８はアダプタ装置、９はＩＰアドレスを用いて通信を行うネットワーク網すなわちＩＰ網である。制御装置６および携帯端末装置７はそれぞれＩＰ網に接続できる機能を有しており、ＩＰアドレスを用いて通信を行っている。電気機器１０は制御装置６からの制御電文を受信することにより制御される。また携帯端末装置７とアダプタ装置８は着脱可能な構成となっている。
【００３７】
図２は制御装置６のブロック、図３は携帯端末装置７およびアダプタ装置８のブロック図を示すものである。
【００３８】
図２において、１１は携帯端末装置７とＩＰ網９を介してＩＰアドレスを用い通信を行うＩＰ通信手段Ａ、１２は電気機器を制御するための制御内容を記憶した制御内容記憶手段Ａ、１３はＩＰ通信手段Ａ１１で受信した電文を制御内容記憶手段Ａ１２に記憶された内容に基づき解析する電文解析手段Ａ、１４は電気機器１０と通信を行う通信手段Ａ、１５は前記各手段を制御する制御手段Ａである。
【００３９】
図３における携帯端末装置７において、１６は制御装置６とＩＰ網９を介してＩＰアドレスを用いて制御装置６と通信を行うＩＰ通信手段Ｂ、１７は制御内容記憶手段Ａ１２に記憶された内容を表示する表示手段Ｂ、１８は表示手段Ｂ１７に表示された内容を選択する選択手段Ｂ、１９はアダプタ装置８と通信する通信手段Ｂ、２０は前記各手段を制御する制御手段Ｂである。アダプタ装置８において、２１は制御装置６への接続の手順プログラムを記憶する接続手順記憶手段Ｃ、２２は携帯端末装置７と通信を行う通信手段Ｃ、２３は前記各手段を制御する制御手段Ｃである。
【００４０】
図４は実施例の動作を示す通信シーケンスである。
【００４１】
以上のように構成された遠隔制御システムについて、以下その動作、作用を説明する。まずアダプタ装置８から携帯端末装置７、ＩＰ網９および制御装置６を介して電気機器１０を制御する方法について説明する。アダプタ装置８が携帯端末装置７に接続されると、アダプタ装置８における制御手段Ｃ２３が通信手段Ｃ２２を用いて携帯端末装置７に接続されたこと検出する。そして接続手順記憶手段Ｃ２１に記憶された接続の手順プログラムを携帯端末装置７に出力する。ここでは、接続先の制御装置６のＩＰアドレス（ＵＲＬ）と制御装置６から取得した情報を表示する旨の信号を出力する（ｓ１）。携帯端末装置７における制御手段Ｂ２０は通信手段Ｂ１９を介してこの信号を受信すると、この信号に基づきＩＰ網９を介して制御装置６に接続要求を送信する（ｓ２）。
【００４２】
制御装置６における制御手段Ａ１５はＩＰアドレス通信手段Ａ１１を介して送信先ＩＰアドレスが自装置のＩＰアドレスと一致した場合はこの接続要求の受信を行い、ＩＰアドレス通信手段Ａ１１を用いてＩＰ網９を介して制御内容記憶手段Ａ１２に記憶されている例えば、ＨＴＭＬ言語で記述された電気機器１０の制御できる内容を携帯端末装置７に返信する（ｓ３）。携帯端末装置７は制御手段Ｂ２０の制御により通信手段Ｂ１９を介してこの返信を受信し、制御手段Ｂ２０が表示手段Ｂ１７を用いてＨＴＭＬ形式の言語を表示できるブラウザ等を使用して表示する（ｓ４）。そして使用者は選択手段Ｂ１８を用いてこの表示手段Ｂ１７に表示された電気機器１０の制御内容から制御したい項目を選択する（ｓ５）。そして制御手段Ｂ２０はこの選択された内容を前述と同様に制御装置６に送信する（ｓ６）。制御装置６における制御手段Ａ１５はこの電文の内容を電文解析手段Ａ１３と制御内容記憶手段Ａ１２とを用いて解析、制御内容を解析する（ｓ７）。そして通信手段Ａ１４を用いてこの制御内容を含んだ制御電文を無線で電気機器１０に対して送信することにより電気機器１０を制御する（ｓ８）。
【００４３】
従って、使用者が電気機器１０を制御する場合、無線電話機等のプッシュボタンを操作して制御データを送信する必要がなく、また携帯端末装置７の画面等の表示手段Ｂ１７から制御した電気機器１０の制御内容を選択できるため、電気機器１０の制御内容に対応する制御データを覚えておく必要がない、また手で入力する必要がないため入力間違い等が発生せず、容易に電気機器１０を制御できる。
【００４４】
なお、制御装置６における制御内容記憶手段Ａ１２に記憶しておく電気機器１０の制御内容に関しては、あらかじめパソコンや設定機などから設定しておく方法や、制御装置６が電気機器１０からメーカー名や品番等の電気機器１０を識別できる情報を取得し、ＩＰ網９から自動的に取得する方法や使用者の要望に応じてサービスセンターから制御内容記憶手段Ａ１２に記憶されている内容を更新する方法等が考えられる。
【００４５】
なお、本実施例では、携帯端末装置７から制御装置６を用いて電気機器１０を制御する場合について説明したが、電気機器１０の状態を制御装置６から携帯端末装置７に送信することも同様に実施することができる。
【００４６】
なお、本実施例では携帯端末装置７がすでにＩＰ網９に接続されているとして説明したが、まだＩＰ網９に接続されておらずダイアルアップを用いて接続する場合は、アダプタ装置８から携帯端末装置７にダイアルＮｏ、ユーザーＩＤおよびパスワードを送出することにより自動的に携帯端末装置７がＩＰ網９に接続するようにすることもできる。また、携帯端末装置７にあらかじめダイアルＮｏ、ユーザーＩＤおよびパスワードが記憶されている場合は、アダプタ装置８は携帯端末装置７に対してそれらを用いてＩＰ網９に接続する旨の信号を送出することにより携帯端末装置７がＩＰ網９に接続するようにすることもできる。
【００４７】
また、図５において２４は操作手段Ｃである。図５に示すように、アダプタ装置８に操作手段Ｃ２４をもうけることにより、制御手段Ｃ２３が操作手段Ｃ２４からの信号を受信することで図４におけるｓ１で示す動作を開始するようにすることもできる。このことにより操作手段Ｃ２４を操作したときのみ制御装置６に接続されるので、使用者の使い方に合わせて任意の時間に制御装置６に接続することができる。
【００４８】
また、図６の通信シーケンスに示すように、アダプタ装置８における操作手段Ｃ２４により制御内容を選択し（ｓ９）し、制御手段Ｃ２３は通信手段Ｃ２２を用いて図４の（ｓ１）で示した制御装置６のＵＲＬ（ＩＰアドレス）に接続する旨の信号および（ｓ６）で示した電気機器１０を制御する内容を含んだ信号の両方を携帯端末装置７に送信する（ｓ１０）。そして、その情報が携帯端末装置７からＩＰ網９を介して制御装置６に送信され（ｓ１１）、前述と同様に制御装置６は電気機器１０を制御する（ｓ７，ｓ８）。このことにより、携帯端末装置７を操作することなく操作手段Ｃ２４を操作するだけで電気機器１０を制御できるので、電気機器１０を制御するためのキー操作等の必要がなくなり、簡単に電気機器１０を制御することができる。
【００４９】
また、操作手段Ｃ２４に携帯端末装置７やアダプタ装置８の電源のＯＮ／ＯＦＦ、携帯端末装置７から制御装置６への接続の禁止／解除、携帯端末装置７やアダプタ装置８の低消費電力モードへの移行／解除等の機能を持たせることができる。
【００５０】
なお、先に述べた制御内容としては、電気機器１０への状態設定（電源のＯＮ／ＯＦＦ等）、現在の電気機器１０の状態取得（エアコンなら、設定温度等）、また同様に制御装置６への状態設定や電気機器１０の制御履歴が考えられる。
【００５１】
（実施例２）
図７は、本発明の第２の実施例における遠隔制御システムにおける制御装置６のブロック図を示し、図８は携帯端末装置７およびアダプタ装置８のブロック図を示すものである。実施例１と同一符号は同一機能を有し、実施例１と異なるところは、制御装置６およびアダプタ装置８にそれぞれ認証のために必要な認証番号を記憶する認証手段Ａ２５および認証手段Ｃ２６を設けた点である。そのほかの異なるところ手段については後述する。
【００５２】
図９は実施例の動作を示す通信シーケンスである。
【００５３】
以上のように構成された遠隔制御システムについて、以下その動作、作用を説明する。図９において（ｓ１）、（ｓ２）は図４における実施例１と同様の動作であるが、（ｓ１２）の部分が異なる。つまり制御装置６は携帯端末装置７からの接続要求を受信すると、制御装置６における制御手段Ａ１５はＩＰアドレス通信手段Ａ１１を介して送信先ＩＰアドレスが自装置のＩＰアドレスと一致した場合はこの接続要求の受信を行い、まずＩＰアドレス通信手段Ａ１１を用いてＩＰ網９を介して認証番号要求電文を携帯端末装置７に返信する（ｓ１２）。そしてこの認証番号要求電文はアダプタ装置８に送信され、アダプタ装置８はこの認証番号要求電文を制御手段Ｃ２３の制御により通信手段Ｃ２２を介して受信する（ｓ１３）。そしてこの電文に対して認証番号を含んだ応答電文を携帯端末装置７およびＩＰ網９を介して制御装置６に対して送信する（ｓ１４、ｓ１５）。制御装置６における制御手段Ａ１５は認証手段Ａ２５を用いて、この認証番号があらかじめ認証手段Ａ２５に記憶されている認証番号と一致するか否かを判定し、一致した場合は以降実施例１と同様の動作をする。従ってインターネット等のＩＰ網を用いる場合でもセキュリティを確保し電気機器１０を制御することができる。
【００５４】
なお、本実施例では、（ｓ１４）でアダプタ装置８が認証番号を送信するとしたが、図９における（ｓ１）で認証番号を携帯端末装置７に送信しておき、（ｓ１４）は携帯端末装置７が行うようにすることもできる。また、（ｓ１）でＩＰアドレスと一緒に認証番号を送信するようにすることもできる）。
【００５５】
なお、本実施例では、認証番号を用いて動作を説明したが、認証のための認証手順をあらかじめ決めておき、この手順を踏んだときのみ制御装置６が（ｓ３）の動作に移行できるようにすることもできる。
【００５６】
なお、認証手段Ａ２５および認証手段Ｃ２６に記憶しておく、認証番号または認証手順を記憶させる方法として、あらかじめパソコンや設定機などから設定しておく方法が考えられる。
【００５７】
また、認証手段Ａ２５および認証手段Ｃ２６に記憶しておく、認証番号または認証手順を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ２３は制御装置６に接続されたことを検出し、通信手段Ｃ２２を用いて認証手段Ｃ２６に記憶された認証番号や認証手順を自動的に制御装置６に送信することもできる。
【００５８】
逆に制御装置６からアダプタ装置８に対して認証番号や認証手順を自動的に送信するようにすることもできる。またアダプタ装置８や制御装置６が乱数等を用いて自装置内で認証番号や認証手順を作りだすようにすることもできる。
【００５９】
従って、認証番号または認証手順を忘れたり認証番号または認証手順を間違えることにより、電気機器１０を制御できなくなるこがなくなり、使い勝手の向上を図ることができ、かつ認証番号または認証手順を頻繁に容易に変更することができ、桁数が多く複雑な認証番号を扱うことも容易となるので、セキュリティを確保し電気機器１０を制御することができる。
【００６０】
また、認証手段Ｃ２６および認証手段Ａ２５は認証番号または認証手順を複数記憶するとすることにより、通信毎に認証手段Ｃ２６および認証手段Ａ２５に記憶された認証番号または認証手順を切り替えるように構成することもでき、セキュリティをより向上させ電気機器１０を制御することもできる。
【００６１】
なお、認証番号としてはアダプタ装置８、制御装置６、携帯端末装置７および電気機器１０が有する製造番号や携帯端末装置７が有する電話番号、クレジットカード番号、ガス、電気および水道検針の際に用いられるお客様番号を用いることが考えられる。
【００６２】
（実施例３）
図７は、本発明の第３の実施例における遠隔制御システムにおける制御装置６のブロック図を示し、図８は携帯端末装置７およびアダプタ装置８のブロック図を示すものである。実施例１と同一符号は同一機能を有し、実施例１と異なるところは、制御装置６およびアダプタ装置８にそれぞれ通信データを暗号化するために必要な暗号番号を記憶した暗号手段Ａ２７および暗号手段Ｃ２８を設けた点である。そのほかの異なるところ手段については後述する。
【００６３】
以上のように構成された遠隔制御システムについて、以下その動作、作用を説明する。実施例１における図４の（ｓ１）において、アダプタ装置８における制御手段Ｃ２３が通信手段Ｃ２２を用いて接続手順記憶手段Ｃ２１に記憶された接続の手順プログラムを携帯端末装置７に出力する際に、アダプタ装置８における制御手段Ｃ２３は、暗号手段Ｃ２８に記憶された通信データを暗号化するために必要な暗号番号も合わせて通信手段Ｃ２２を用いて携帯端末装置７に出力する。そして携帯端末装置７から制御装置６に送信される電文（ｓ２やｓ６など）は先の暗号番号に基づき暗号化される。一方制御手段Ａ１５は暗号手段Ａ２７に記憶された暗号番号に基づき受信した電文（ｓ２やｓ６など）を復号化する。よってセキュリティをより向上させた遠隔制御システムを構築することができる。
【００６４】
なお、本実施例では、暗号番号を用いて動作を説明したが、同様に暗号化や復号化のための暗号手順を送信するようすることもできる。
【００６５】
なお、本実施例では、携帯端末装置７が暗号化するとしたが、携帯端末装置７が暗号化するのと同様にアダプタ装置８が暗号化するようにすることもできる。
【００６６】
なお、本実施例では、携帯端末装置７から制御装置６への通信について説明したが、制御装置６から携帯端末装置７またはアダプタ装置８への通信についても同様に実施することができる。
【００６７】
なお、暗号化の方法としてＳＳＬやＤＥＳ等が考えられる。
【００６８】
なお、暗号手段Ａ２７および暗号手段Ｃ２８に記憶しておく、暗号番号または暗号手順を記憶させる方法として、あらかじめパソコンや設定機などから設定しておく方法が考えられる。
【００６９】
また、暗号手段Ａ２７および暗号手段Ｃ２８に記憶しておく、暗号番号または暗号手順を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ２３は制御装置６に接続されたことを検出し、通信手段Ｃ２２を用いて暗号手段Ｃ２８に記憶された暗号番号または暗号手順を自動的に制御装置６に送信することもできる。逆に制御装置６からアダプタ装置８に対して暗号番号または暗号手順を自動的に送信するようにすることもできる。またアダプタ装置８や制御装置６が乱数等を用いて自装置内で暗号番号または暗号手順を作りだすようにすることもできる。
【００７０】
従って、暗号番号または暗号手順を忘れたり暗号番号または暗号手順を間違えることにより、電気機器１０を制御できなくなるこがなくなり、使い勝手の向上を図ることができ、かつ暗号番号または暗号手順を頻繁に容易に変更することができるので、セキュリティをより向上させた遠隔制御システムを構築することができる。
【００７１】
また、暗号手段Ｃ２８および暗号手段Ａ２７は暗号番号または暗号手順を複数記憶するとすることにより、通信毎に暗号手段Ｃ２８および暗号手段Ａ２７に記憶された暗号番号または暗号手順を切り替えるように構成することもでき、セキュリティをより向上させさせた遠隔制御システムを構築することができる。
【００７２】
なお、暗号番号としてアダプタ装置８、制御装置６および携帯端末装置７が有する製造番号や携帯端末装置７が有する電話番号を用いることもできる。
【００７３】
また、図７において２９はセキュア通信手段Ａ、図８において３０はセキュア通信手段Ｃである。アダプタ装置８および制御装置６は、セキュア通信手段Ａおよびセキュア通信手段Ｃを用いて、アダプタ装置８と制御装置６間の通信、もしくはアダプタ装置８と電気機器１０間の通信時に、先に述べたような認証や暗号化をエコーネット規格におけるセキュリティの仕様であるセキュア通信の規定に準拠して通信を行うようにすることもできる。従って前記セキュア通信手段Ｃを用いてアダプタ装置８と通信を行うので、セキュリティをより向上させ電気機器１０を制御することができ、かつ通信仕様が世の中に公開されているので異なるメーカー間でも通信が可能となりシステムの拡張性が高まり、新たに仕様を作成する必要がないため開発コストの低減、開発期間の短縮を図ることができる。
【００７４】
（実施例４）
図７は、本発明の第４の実施例における遠隔制御システムにおける制御装置６のブロック図を示し、図８は携帯端末装置７およびアダプタ装置８のブロック図を示すもである。実施例１と同一符号は同一機能を有し、実施例１と異なるところは、制御装置６およびアダプタ装置８にそれぞれＩＰアドレスを用いて通信を行うためのポート番号を記憶したポート番号記憶手段Ａ３１およびポート番号記憶手段Ｃ３２を設けた点である。そのほかの異なるところ手段については後述する。
【００７５】
以上のように構成された遠隔制御システムについて、以下その動作、作用を説明する。実施例１における図４の（ｓ１）において、アダプタ装置８における制御手段Ｃ２３が通信手段Ｃ２２を用いて接続手順記憶手段Ｃ２１に記憶された接続の手順プログラムを携帯端末装置７に出力する際に、アダプタ装置８における制御手段Ｃ２３は、ポート番号記憶手段Ｃ３２に記憶されたＩＰアドレスを用いて通信を行う（例えば、ＨＴＴＰ通信）ためのポート番号も通信手段Ｃ２２を用いて携帯端末装置７に送信する。そして携帯端末装置７から制御装置６に送信される電文（ｓ２やｓ６など）には先のポート番号も含まれている。一方、制御手段Ａ１５もポート番号記憶手段Ａ３１に記憶されたポート番号を用いて通信を行う。
【００７６】
ここで、ポート番号記憶手段Ａ３１およびポート番号記憶手段Ｃ３２に記憶しておくポート番号を記憶させる方法として、アダプタ装置８はＩＰ網９を介さず制御装置６と通信可能な構成、例えば制御装置６と着脱可能な構成とし、アダプタ装置８が制御装置６に接続されたときに、アダプタ装置８における制御手段Ｃ２３は制御装置ｂ６に接続されたことを検出し、通信手段Ｃ２２を用いてポート番号記憶手段Ｃ３２に記憶されたポート番号を自動的に制御装置６に送信することもできる。逆に制御装置６からアダプタ装置８に対してポート番号を自動的に送信するようにすることもできる。またアダプタ装置８や制御装置６が乱数等を用いて自装置内でポート番号を作りだすようにすることもできる。従って、ポート番号を忘れたり、間違えることにより電気機器１０を制御できなくなるこがなくなり、使い勝手の向上を図ることができ、かつポート番号を容易に頻繁に変更することができるので、セキュリティをより向上させた遠隔制御システムを構築することができる。
【００７７】
また、ポート番号記憶手段Ｃ３２およびポート番号記憶手段Ａ３１はポート番号を複数記憶するとすることにより、通信毎にポート番号記憶手段Ｃ３２およびポート番号記憶手段Ａ３１に記憶されたポート番号を切り替えるように構成することができ、セキュリティをより向上させさせた遠隔制御システムを構築することができる。
【００７８】
なお、本実施例では、携帯端末装置７から制御装置６への通信について説明したが、制御装置６から携帯端末装置７またはアダプタ装置８への通信についても同様に実施することができる。
【００７９】
なお、ポート番号記憶手段Ａ３１およびポート番号記憶手段Ｃ３２に記憶しておくポート番号を記憶させる方法として、あらかじめパソコンや設定機などから設定しておく方法がある。
【００８０】
（実施例５）
図７は、本発明の第５の実施例における遠隔制御システムにおける制御装置６のブロック図を示し、図８は携帯端末装置７およびアダプタ装置８のブロック図を示すものである。実施例１と同一符号は同一機能を有し、実施例１と異なるところは、制御装置６にメールを送信するメール送信手段Ａ３３と、アダプタ装置８にメールを受信するメール受信手段Ｃ３４を設けた点である。
【００８１】
以上のように構成された遠隔制御システムについて、以下その動作、作用を説明する。制御装置６における制御手段Ａ１５はＩＰ通信手段Ａ１１に記憶された制御装置６自身のＩＰアドレスを監視しており、ＩＰアドレスが変更された場合、変更されたＩＰアドレスをＩＰ通信手段Ａ１１から取得し、メール送信手段Ａ３３を用いて、宛先に携帯端末装置７のメールアドレスを入れ、また例えば、本文にＩＰアドレスを記入しあらかじめ登録されたメールサーバーに対してメールを送信する。ここでメールサーバーと認証が必要な場合は、ユーザー名やパスワードをメールサーバーに送信することにより認証を行ってからメールを送信する。一方はアダプタ装置８における制御手段Ｃ２３はメール受信手段Ｃ３４からの信号に基づき通信手段Ｃ２２を介してアダプタ装置８を用いてメールサーバーにアクセスし、ユーザー名やパスワードをメールサーバーに送信することにより認証を行い、前述の制御装置６から送信されたメールを受信し、メールの本文あるいは受信電文（ＩＰヘッダー）から制御装置６のＩＰアドレス取得する。そして今後アダプタ装置８から制御装置６に電文を送信する場合はこの取得したＩＰアドレスを用いて通信する。従って制御装置６は固定ＩＰアドレスを持っていないために、ＩＰアドレスが変更された場合でもアダプタ装置８から制御装置６を介して電気機器１０を制御することができる遠隔制御システムを構築することができる。
【００８２】
なお、本実施例では、アダプタ装置８がメール受信手段Ｃ３４を有するとして説明したが、携帯端末装置７が有して制御装置６のＩＰアドレスを取得し記憶しておいたり、取得したＩＰアドレスをアダプタ装置８に送信するようにすることもできる。
【００８３】
また、本実施例では、制御装置６がアダプタ装置８に対してＩＰアドレスを通知する方法について説明したが、その逆に制御装置６はメールを受信するメール受信手段Ａ３５を有し、アダプタ装置８はメールを送信するメール送信手段Ｃ３６と、携帯端末装置７が有するＩＰアドレスを取得するＩＰアドレス取得手段Ｃ３７とを有し、前記メール送信手段Ｃ３６を用いて前記ＩＰアドレス取得手段Ｃ３７で取得したアダプタ装置８のＩＰアドレスをメールで制御装置６に対して送信するようにすることにより、携帯端末装置７は固定ＩＰアドレスを持っていないために、ＩＰアドレスが変更された場合でも制御装置６から携帯端末装置７またはアダプタ装置８に対して電気機器１０の制御状態を報知するようにもできる。
【００８４】
なお、本実施例ではＩＰアドレスをメールで通知するとしたが、実施例１から４で用いた認証番号、認証手順、暗号番号、暗号手順およびポート番号をメールにて通知するように構成することもできる。
【００８５】
なお、先の実施例１から５において、携帯端末装置７における通信手段Ｂ１９とアダプタ装置８における通信手段Ｃ２２間の通信は有線による通信だけでなく、無線（赤外線を含む）を用いて情報を交信するようにすることもできる。このことによりアダプタ装置の配置場所について使用上の制約を受け難いので、使い勝手の向上を図ることができる。
【００８６】
なお、先の実施例１から５において、アダプタ装置８から携帯端末装置７およびＩＰ網９を介して制御装置６に接続し電気機器１０制御する方法について説明したが、図８のアダプタ装置８のブロック図に示すように、アダプタ装置８は携帯端末装置およびＩＰ網を介さず、無線通信手段Ｃ３８を用いて通信手段Ａ１４を介して制御装置６と無線で通信するように構成することもできるので、アダプタ装置８と制御装置６が無線で通信可能なエリアに設置されている場合は（例えば、互いに宅内に存在する場合）、ＩＰ網を介さないため電気機器１０を制御するまでの時間を短縮できる。またこのような場合は、アダプタ装置８は制御装置６を介さず直接電気機器１０を制御するようにすることもできる。さらに、さきの実施例２から４で説明した、認証番号、認証手順、暗号番号、暗号手順およびポート番号をアダプタ装置８と制御装置６間でこの無線通信を用いて交信するようにすることもできる。また無線通信のプロトコルとしてはエコーネット規格やＨＯＭＥＲＦ規格やＩＥＥＥ８０２規格や赤外線を用いたＩＲＤＡや家電製品協会等の標準規格を用いることが考えられる。
【００８７】
なお、先の実施例１から５において、電気機器１０を制御する内容は制御装置６間における制御内容記憶手段Ａ１２が有するとして説明したが、図８のアダプタ装置８のブロック図に示すように、制御内容記憶手段Ａ１２に記憶された内容をアダプタ装置８における制御内容記憶手段Ｃ３９が有する構成にすることもできる。このことにより、携帯端末装置７は電気機器１０を制御する内容を取得する際にはＩＰ網９を介して制御装置６にアクセスする必要がなくなり、電気機器１０を制御する内容の表示時間の短縮を図ることができ、電気機器１０を制御するまでの時間を短縮できる。
【００８８】
なお、先の実施例１から５における電気機器１０としては、例えば、空調機器、照明、洗濯機、加湿器、給湯機、炊飯器、ビデオテープレコーダ、テレビ、セキュリティ機器、冷蔵庫、電気温水機、コーヒーポット、時計、洗濯機、植木用水やり機、ペット用餌やり機等が考えられ、携帯端末装置７としては携帯電話、ＰＨＳ、パソコン、ＰＤＡ等が考えられ、制御装置６としてはパソコン、ノンＰＣ端末と呼ばれる情報端末装置等が考えられる。例えばこの情報端末装置の構成としては、ハードウエアは主に８ｂｉｔあるいは１６ｂｉｔ程度のＣＰＵ、ＬＡＮコントローラＩＣおよび無線モジュールから構成され、ソフトウエアは前記の８ｂｉｔあるいは１６ｂｉｔ程度のＣＰＵにＴＣＰ／ＩＰやＵＤＰ／ＩＰを実装し、アプリケーションとしてＨＴＴＰ、ＳＭＴＰ、ＰＯＰ、ＡＰＯＰを実装する構成が考えられる。
【００８９】
なお、先の実施例１から５において制御装置６はＩＰ網９に直接接続されるとして説明したが、ＡＤＳＬモデムや光ファイバーに接続されたルーターやパソコンに接続するようにしても同様に実施できる。また、携帯電話、ＰＨＳデータ通信用カード、無線ＬＡＮ等を用いて無線でＩＰ網９に接続するようにもできる。
【００９０】
なお、先の実施例１から５において述べたＩＰ網９を利用したＩＰアドレスを用いた通信とは、例えば、ＯＳＩ基本参照モデルのデータリンク層にＥｔｈｅｒｎｅｔフレームやＩＥＥＥ８０２．３フレームを用い、ネットワーク層にＩＰアドレスを用いたＩＰ（Ｉｎｔｅｒｎｅｔ　Ｐｒｏｔｏｃｏｌ）が考えられ、ネットワーク層の上位層はＴＣＰやＵＤＰ、アプリケーション層にはＨＴＴＰやＦＴＰやｔｅｌｎｅｔを用いることが考えられる。またアプリケーション層のプロトコルは独自に開発することもできる。
【００９１】
なお、先の実施例１から５において述べたＩＰ網としてはインターンネット網や専用線等のＩＰアドレスを用いて通信を行う通信ネットワーク網が考えられる。また、ＩＰアドレスに代わりユニークなアドレス等の識別符号を用いて同様に実施することもできる。
【００９２】
なお、先の実施例１から５では、制御装置６は通信手段Ａ１４を用いて電気機器１０に対して無線で制御電文を送信するとしたが、このときの制御電文のフォーマットや通信手順をエコーネット規格やＨＯＭＥ−ＲＦ規格やＩＥＥＥ８０２規格や赤外線のＩＲＡＤＡや家電製品協会がさだめる赤外線通信等の標準規格に準拠することにより異なるメーカーの電気機器を使用できるようになり拡張性の高いシステムを構築できる。また新たに制御電文のフォーマットや通信手順を決めなくて良いので開発期間の短縮や開発コストの低減を図ることができる。また無線を使用せず電灯線や電話線やＬＡＮケーブル等のツイストペアケーブルや同軸ケーブルを用いて有線で送信することもできる。
【００９３】
なお、先の実施例１から５では、表示手段Ｂ１７は携帯端末装置７が有するとして説明したが、制御装置６やアダプタ装置８が有してもよい。
【００９４】
なお、先の実施例１から５では、制御装置６から電気機器１０を制御するとしたが、家庭内でネットワークに接続された機器、例えばパソコンと制御装置６が通信を行い、パソコンから電気機器を制御したり、先に述べた実施例１から５に示す制御装置６が有する機能をパソコンに持たせるようにすることもできる。ネットワーク網はＩＰ網に限らない。
【００９５】
【発明の効果】
以上のように、本発明によれば、携帯端末に接続するアダプタ装置にネットワーク網を介して制御装置に接続するための手順が記憶されており、アダプタ装置を携帯端末に接続するだけで制御装置に接続され、制御したい電気機器の制御内容を携帯端末装置の画面等の表示手段から選択できるので、使用者は電気機器を制御する場合、従来のように、電気機器の制御内容に対応する制御データを覚え、無線電話機等のプッシュボタンを操作して制御データを送信する必要がないので、入力間違い等が発生しない、つまりキー操作等、煩雑な手続きの必要がなくなり、操作性と利便性が大きく向上し容易に電気機器を制御することができる。
【図面の簡単な説明】
【図１】本発明の実施例１における遠隔制御システム図
【図２】本発明の実施例１における制御装置のブロック図
【図３】本発明の実施例１における携帯端末装置およびアダプタ装置のブロック図
【図４】本発明の実施例１における通信シーケンス図
【図５】本発明の実施例１におけるアダプタ装置のブロック図
【図６】本発明の実施例１における通信シーケンス図
【図７】本発明の実施例２、３、４、５における制御装置のブロック図
【図８】本発明の実施例２、３、４、５におけるアダプタ装置のブロック図
【図９】本発明の実施例２における通信シーケンス図
【図１０】従来の遠隔制御システムの構成図
【符号の説明】
５　電気機器
６　制御装置
７　携帯端末装置
８　アダプタ装置
９　ＩＰ網（ネットワーク網）
１０　電気機器
１１　ＩＰ通信手段Ａ
１２　制御内容記憶手段Ａ
１３　電文解析手段Ａ
１４　通信手段Ａ
１５　制御手段Ａ
１６　ＩＰ通信手段Ｂ
１７　表示手段Ｂ
１８　選択手段Ｂ
１９　通信手段Ｂ
２０　制御手段Ｂ
２１　接続手順記憶手段Ｃ
２２　通信手段Ｃ
２３　制御手段Ｃ
２４　操作手段Ｃ
２５　認証手段Ａ
２６　認証手段Ｃ
２７　暗号手段Ａ
２８　暗号手段Ｃ
２９　セキュア通信手段Ａ
３０　セキュア通信手段Ｃ
３１　ポート番号記憶手段Ａ
３２　ポート番号記憶手段Ｃ
３３　メール送信手段Ａ
３４　メール受信手段Ｃ
３５　メール受信手段Ａ
３６　メール送信手段Ｃ
３７　ＩＰアドレス取得手段Ｃ
３８　無線通信手段Ｃ
３９　制御内容記憶手段Ｃ
【図１】
2004032235.tif 000003
【図２】
2004032235.tif 000004
【図３】
2004032235.tif 000005
【図４】
2004032235.tif 000006
【図５】
2004032235.tif 000007
【図６】
2004032235.tif 000008
【図７】
2004032235.tif 000009
【図８】
2004032235.tif 000010
【図９】
2004032235.tif 000011
【図１０】
2004032235.tif 000012